(57)【特許請求の範囲】
【請求項１】
連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成されたことを特徴とするステレオカメラ。
【請求項２】
連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、前記フイルムの各画面間の境界位置に該フイルム切断のためのマークを記録するように構成したことを特徴とするステレオカメラ。
【請求項３】
連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、ナンバー記録装置により、前記フイルムの各画面にステレオスライド用コマナンバーを記録するように構成したことを特徴とするステレオカメラ。
【請求項４】
連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、前記フイルムの各画面間の境界位置に該フイルム切断のためのマークを記録するように構成し、更に、ナンバー記録装置により、前記フイルムの各画面にステレオスライド用コマナンバーを記録するように構成したことを特徴とするステレオカメラ。
【発明の詳細な説明】
【０００１】
【発明の属する技術分野】
この発明はステレオカメラに関するものであり、特に、フイルムの画面幅の拡大を図りフイルムを有効活用すると共に、必要なフイルムホルダーの種類を低減し、且つ、マウント作業を容易にしたステレオカメラに関するものである。
【０００２】
【従来の技術及び発明が解決しようとする課題】
此種ステレオカメラについて説明する。市販のパトローネ入りの１３５サイズフイルムで最長のものは３６×２４モノラル標準フォーマットの画面（１画面相当８孔使用）を３６枚撮影するように設計されており、撮影された３６枚の画面のパーフォレーションの総孔数は、８×３６＝２８８孔となり、更に、前記１３５サイズフイルムはフイルムの前端と後端に多少の余裕が設けてある。
【０００３】
一方、前記１３５サイズフイルムを使用して、第１コマと第３コマに左右一対のステレオ画面を撮影し、第２フレームと第４フレームに次の左右一対のステレオ画面を撮影し、以後、同様の撮影を繰り返すステレオカメラとして、１画面相当でパーフォレーションを７孔使用するものが知られている。
【０００４】
該ステレオカメラに於ては、前記１３５サイズフイルムの２８８孔相当長内に１画面相当７孔のステレオ写真が２８８／（７×２）＝２０・５７組、即ち、２０組撮影可能であるが、ステレオ写真を２０組撮影する場合の総孔数は１４×２０＝２８０で、孔数にして更に８孔の余裕がある。
【０００５】
そこで、Ｒ社では、カメラの撮影窓部の幅を、７孔相当の４．７３５×７＝３３．１４５ｍｍよりもわずかに大きい３３．５ｍｍに拡大して、左右の撮影窓の中心間距離を３３．５×２＝６７ｍｍに設定している。そして、フイルムの送り量は、奇数番号組の画面を撮影後は１画面分の３３．５ｍｍ（３３．５／４．７３５＝７．０７５孔相当）送り、偶数番号組の画面を撮影後は、３画面相当分の７．０７５×３＝２１．２２５孔よりも僅かに多い２１．９２５孔相当送っている。従って、４画面に送りを含めた１群の孔数は２９孔となる。
【０００６】
更に、２０組の画面を撮影したときの総使用孔数は２９×１０＝２９０孔となり、前述の３６×２４モノラル標準フォーマットの画面を３６枚撮影した時の総使用孔数の８×３６＝２８８よりも２孔余分に使用する。
【０００７】
従って、Ｒ社のステレオカメラは、撮影画面幅を拡大して市販の１３５サイズフイルムを有効に使用する点で優れているが、新たな問題点が発生する。即ち、１画面相当の画面幅（１画面毎に切断したときのフイルム長さ）を３３．５ｍｍとしているために撮影画面に対するフイルムのパーフォレーションである孔位置が画面毎に異なった位置となる（各４画面で孔位置が全て異なる。即ち、１画面毎に切断されたフイルムは孔位置の夫々異なる４種類のものとなる）。
【０００８】
そして、Ｒ社のステレオスライドマウント（ＵＳ，Ｐａｔ，Ｎｏ．４，９４２，６８４）では、左右夫々のフイルムを任意に位置調整可能であり、撮影画面毎に孔位置が異なっていても調整可能であるが、更に、正確に調整することは困難である。
【０００９】
図１４は特願平１１−２７３３１５に記載されるステレオスライドマウント１１であり、該ステレオスライドマウント１１によって前記Ｒ社のステレオカメラで撮影したステレオ写真のマウント時の正確な位置調整が可能である。
【００１０】
然しながら、前記ステレオスライドマウント１１を使用するには、前記フイルムの撮影画面とフイルムホルダー１２Ｌ，１２Ｒの窓１３Ｌ，１３Ｒとを一致させるため、該フイルムを夫々前記フイルムホルダー１２Ｌ，１２Ｒの所定位置に係止する必要がある。尚、図に於て、１４は前記ステレオスライドマウント１１の基板となるベースフレームであり、１５は該ベースフレーム１４に固着して前記フイルムホルダー１２Ｌ，１２Ｒを摺動自在に遊嵌するカバーフレームである。
【００１１】
前述の如く、前記Ｒ社のカメラを使用して撮影されたフイルムは画面毎に孔位置が異なる４種類のフイルムとなるため、前記ステレオスライドマウント１１を使用するには、４種類のフイルムに対応するフイルムホルダー、即ち、フイルムを係止するためのピン１６，１６…，１７，１７…の位置が異なる４種類のフイルムホルダーを用意しなければならない。しかし、例え、４類類のフイルムホルダーを用意し、更に、識別のためのマーキングを付与して使用する場合であっても、実際には使用上の混乱が予想される。
【００１２】
そこで、ステレオカメラに於て、フイルムの画面幅の拡大を図り、且つ、フイルムを有効活用すると共に、必要なフイルムホルダーの種類を低減し、且つ、フイルムのマウント作業を容易にするために解決すべき技術的課題が生じてくるのであり、本発明は上記課題を解決することを目的とする。
【００１３】
【課題を解決するための手段】
本発明は上記目的を達成するために提案されたものであり、連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成されたステレオカメラ、
及び、連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、前記フイルムの各画面間の境界位置に該フイルム切断のためのマークを記録するように構成したステレオカメラ、
及び、連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、ナンバー記録装置により、前記フイルムの各画面にステレオスライド用コマナンバーを記録するように構成したステレオカメラ、
並びに、連続するフイルムの第１コマと第３コマに左右一対のステレオ画面を撮影し、第２コマと第４コマに次の左右一対のステレオ画面を撮影し、以後、同様の撮影を繰り返すステレオカメラに於て、前記第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、前記フイルムの各画面間の境界位置に該フイルム切断のためのマークを記録するように構成し、更に、ナンバー記録装置により、前記フイルムの各画面にステレオスライド用コマナンバーを記録するように構成したステレオカメラを提供するものである。
【００１４】
【発明の実施の形態】
以下、本発明の一実施の形態を図１乃至図１３に従って詳述する。図１に於て、２１は連続するフイルムであり、該フイルム２１の第１コマの画面１Ｒと第３コマの画面１Ｌは左右一対の画面として同時に撮影され、次に第２コマの画面２Ｒと第４コマの画面２Ｌは左右一対の画面として同時に撮影され、即ち、画面１Ｒ−２Ｒ−１Ｌ−２Ｌの画面配列順でステレオ写真が撮影される。そして、前記４画面は隣接画面同士が夫々接触状態（ギャップレス）で撮影され（但し、必ずしもギャップレスでなくてもよい）て、以後、同様の画面配列で撮影が繰り返される。
【００１５】
更に、前記画面配列で撮影したフイルムを日本特許第２９５７０８６号に記載の発明と同様に１画面毎に切断した時の切断後の各フイルム両端部のパーフォレーションの孔形状を開放形状とすると共に、更に、該発明を改良してフイルムを有効利用し、且つ、各画面幅を最大とするフイルムの切断位置は図示の５箇所の切断線Ｐｃｌ，Ｐｃ２，Ｐｃ３，Ｐｃ４，Ｐｃ５で示される位置となる。
【００１６】
即ち、中央に位置する切断線Ｐｃ３はパーフォレーションとしての孔の中央に設定され、両外端の切断線Ｐｃｌ及びＰｃ５は、孔の最外端に設定され、そして、両隣の切断線Ｐｃ２及びＰｃ４は孔の中心と外端との中間、即ち孔の中心から孔幅×１／４外側の位置に設定される。
【００１７】
図２は前記フイルム２１と該フイルム２１を撮影するためのステレオカメラ２２の撮影窓２３Ｌ，２３Ｒとの対応位置関係を示し、該ステレオカメラ２２の左右の窓２３Ｌ又は２３Ｒの窓幅寸法Ｗｗはフイルム２１の７孔相当幅に孔開口幅の１／４を加えた寸法となる。１３５サイズフイルムの孔のピッチは４．７３５ｍｍで、孔の開口幅は２ｍｍであるので、窓幅寸法Ｗｗ＝４．７３５×７＋２×０．２５＝３３．６４５ｍｍとなり、３３．６４５／４．７３５＝７．１０５６孔相当となる。これは１画面相当孔数と同孔数となる。そして、左右の画面（カメラの左右の撮影窓２３Ｌ，２３Ｒ）の中心間距離は３３．６４５×２＝６７．２９ｍｍとなり、左右の窓２３Ｌ，２３Ｒ間のスペース幅ＷｓはＷｓ＝６７．２９−３３．６４５＝３３．６４５ｍｍ  となる。又、４画面の相当孔数は７．１０５６×４＝２８．４２２４となるが、送りを調節することにより、１群の相当孔数は２９孔に設定する。従って、第５コマの始端の切断線はＰｃ６になる。
【００１８】
図３上図に示す如く前記フイルム２１の画面１Ｌ，１Ｒ，２Ｌ，２Ｒ上に写る投影像は全て倒立像であり、立体視を可能とするために、図３下図に示す如く、前記フイルム２１を１画面毎に切断して１８０°回転させて正立像の状態に再配置する。
【００１９】
そして、図４に示す左右のフイルムホルダー２４Ｌ，２４Ｒに、例えば、前記図３下図の画面１Ｌ，１Ｒをマウントするが、該画面１Ｌと１Ｒとではパーフォレーションである孔位置が異なるので、前記左右フイルムホルダー２４Ｌ，２４Ｒに突設される前記フイルム２１を係止するためのピン２５，２５…、２６，２６…位置は、左フイルムホルダー２４Ｌと右フイルムホルダー２４Ｒとの両者間において異なっている（図４においてピン２６，２６…位置はピン２５，２５…位置よりも右側に偏っている）。
【００２０】
然しながら、図３上図に示す前記フイルム２１は前記切断線Ｐｃ２とＰｃ４、及び、切断線ＰｃｌとＰｃ５位置に於て孔位置が夫々対称位置であり、同図の各画面上の切断された孔０，ＰＬ１〜ＰＬ３と０，ＰＲ１〜ＰＲ３は切断線Ｐｃ３を中心として対称位置にあり対称形となる。
【００２１】
図５は、下図に示す奇数組コマナンバーの画面１Ｌ，１Ｒと上図に示す偶数組コマナンバーの画面２Ｌ，２Ｒとを比較するため対向配置したもので前述の理由により下図の画面１Ｌ，１Ｒと上図の画面２Ｌ，２Ｒの切断された孔（０，ＰＬ１，ＰＲ３，ＰＲ２）、（０，ＰＲ１，ＰＬ３，ＰＬ２）形状が等しくなっている。そして、図に於て、下図の奇数組を正常な画面配置とすれば、上図の偶数組は倒立像状態で且つ左右の画面位置が互いに反対となっているが、上図の偶数組を１８０°回転すれば、正立像となり、且つ、左右の画面配置も正常となる。従って、前記奇数組と偶数組の画面１Ｌ，１Ｒ及び２Ｌ，２Ｒのフイルム２１，２１…は同一の前記フイルムホルダー２４Ｌ，２４Ｒを共用して用いることが可能となる。
【００２２】
然しながら、前述のように奇数組と偶数組の画面１Ｌ，１Ｒ及び２Ｌ，２Ｒのフイルム２１，２１…で同一の前記フイルムホルダー２４Ｌ，２４Ｒを使用することが可能であっても、実際に使用する場合、更に、各フイルム２１，２１…を前記フイルムホルダー２４Ｌ，２４Ｒの左右のどちら側にどの向きで取り付けるか等の識別が困難である。
【００２３】
図６は、ステレオ用フレームナンバー記録装置２８，２８及びカッティングマーク記録装置２９，２９…を搭載する既出願のステレオカメラ３０を示し、図７は該ステレオカメラ３０により撮影されたフイルム３１である。
【００２４】
該フイルム３１の各画面には前記カッティングマーク記録装置２９，２９…により図２に示す切断線Ｐｃｌ，Ｐｃ２，Ｐｃ３，Ｐｃ４，Ｐｃ５，Ｐｃ６に対応する位置にカッティング用のマーク３２，３２…が露光記録され、且つ、前記フレームナンバー記録装置２８，２８により１Ｒ，２Ｒ，１Ｌ，２Ｌ等のステレオスライド用のコマナンバー３３，３３…が露光記録される。尚、図６に示す前記カッティングマーク記録装置２９，２９…右端上下のカッティングマーク記録装置２９，２９は奇数コマナンバー画面が配置された時のみ露光記録すればよい。
【００２５】
前記マーク３２，３２…が露光記録されることによって、前記切断線Ｐｃｌ，Ｐｃ２，Ｐｃ３，Ｐｃ４，Ｐｃ５，Ｐｃ６に対応して前記フイルム３１の画面毎に配置される孔位置（孔に対する切断位置）が僅かに異なる位置に配置される。そして、然る時も、該マーク３２，３２…によって正確に切断位置が視認可能となり、従って、誤切断もなくなり、安全、且つ、正確な切断が可能となる。又、前記フイルム３１は、前記コマナンバー３３，３３…により容易に画面の識別が可能となる。
【００２６】
然しながら、図４に示す前記左右のフイルムホルダー２４Ｌ，２４Ｒは、フイルム係止用ピン２５，２５…，２６，２６…の位置が奇数組用と偶数組用とで１８０度回転対称であり前述のように反転して使用可能ではあるが、係止するフイルム３１に対応する奇数用と偶数用の識別が必要となる。例えば、図８は、奇数組のフイルム３１をマウントするピン３４，３４…，３５，３５…を備えた左右一対のフイルムホルダー３６Ｌ，３６Ｒで、図４のフイルムホルダー２４Ｌ，２４Ｒと同一形状であるが、夫々に、「奇数組用（ｏｄｄ ｎｕｍｂｅｒ）の左」を表示する識別記号ＯＬ、「奇数組用の右」を表示する識別記号ＯＲがマーキングされている。
【００２７】
そして、識別記号ＯＬ側には奇数組の左である画面１Ｌ，３Ｌ，５Ｌのフイルムを取り付ければよく、識別記号ＯＲ側には奇数組の右である画面１Ｒ，３Ｒ，５Ｒのフイルムを取り付ければよい。尚、図に於て３７Ｌ，３７Ｒは前記フイルムホルダー３６Ｌ，３６Ｒの窓である。
【００２８】
図９に図示のフイルムホルダー３８Ｌ，３８Ｒは前記奇数用のフイルムホルダー３６Ｌ，３６Ｒを上下方向が反対となるように全体を１８０°回転したもので、該フイルムホルダー３６Ｌ，３６Ｒの左右位置が互いに反対位置となり、上下方向も反対となっている（従って、前記奇数組用識別記号ＯＬ，ＯＲが倒立状態となっている）。
【００２９】
このように、前記フイルムホルダー３６Ｌ，３６Ｒを１８０°回転させることによって、前記フイルム係止用ピン３４、３４…及び３５、３５…の位置も図９に図示のフイルム係止用ピン３９，３９…及び４０，４０…のように互いに反対位置となる。そして、前述の奇数用の識別記号ＯＬ，ＯＲと反対向きに「偶数組（ｅｖｅｎ ｎｕｍｂｅｒ）の左，右」を表示する識別記号ＥＬ，ＥＲがマーキングされており、該偶数組用識別記号ＥＬ、ＥＲに対して偶数組の左右フイルムを取り付ければよい。尚、図に於て４１Ｌ，４１Ｒは前記フイルムホルダー３８Ｌ，３８Ｒの窓である。
【００３０】
即ち、該窓４１Ｌ，４１Ｒの位置に対するフイルム係止用ピン３９，３９…，４０，４０…の位置が異なる一対の左右フイルムホルダー３８Ｌ，３８Ｒを用意し、奇数用、偶数用夫々の左右用の識別記号ＯＬ，ＯＲ，ＥＬ，ＥＲを付与するのみで、奇数組、偶数組夫々の左右の孔位置の異なる４種類のフイルムに対応することが可能となり、共用化を図ることが可能となる。これによって必要なフイルムホルダーの種類を低減でき、又、フイルムホルダーとの組合せ及び配置に関する混乱等の問題は解消され、フイルムのマウント作業は非常に容易なものとなる。
【００３１】
図１０及び図１１に図示のフイルム４２，４３は、前記フイルム（図１に於て２１，図７に於て３１）の画面配置とは異なる他の実施形態であり、各１画面の幅は、２９孔相当のフイルムを４等分したもので、画面幅を最大限度まで拡張したものであり、４画面で１群を構成する。
【００３２】
前述したように、奇数組用のフイルムホルダーと偶数組用のフイルムホルダーとを共用可能とするため、左右用の画面（フイルム）間において孔の位置が対称位置となるように、前記フイルム４２は１群である４画面の中央の切断線Ｐｃ１３を孔中央に位置させ、前記フイルム４３は１群としての４画面の中央の切断線Ｐｃ２３を孔と孔の中間に位置させている。
【００３３】
そして、前記フイルム４２，４３の１画面相当のフイルム切断長は４．７３５×２９／４＝３４．３２８７５mmとなる。該フイルム４２，４３の何れの場合も、切断されたフイルムの両端に開放された孔を配置することは不可能となるが、１３５サイズフイルムは等間隔に多数の孔を有しているので、両端以外の孔を使用して係止すべくフイルムホルダーの対応位置にピンを立設すればよい。
【００３４】
更に、前記フイルム２１，３１，４２、４３の画面配列に撮影するためのステレオカメラのフイルム送り機構は従来の機構を応用できる。図１２は従来型のフイルム送り機構を応用した概念図で（回転ストッパー部の詳細な説明は省略）、前記各フイルムは、該フイルムのパーフオレーションを図示のフイルム送り用スプロケットホイール４４に噛み合わせることによって送られる。
【００３５】
該スプロケットホイール４４の軸上にはピニオン４５が連結されていて、ギヤー４６と噛合っている。そして、該ギヤー４６の軸上には回転ストッパー４７が取り付けられ、該回転ストッパー４７は円周上に２箇所の溝４８及び４９を有し、その溝４８及び４９をストップレバー５０で規制することによって、前記フイルムは所定の停止位置に位置決めされる。そして、前記回転ストッパー４７が１回転した時に前記フイルムは１群４画面である２９孔送られる。
【００３６】
その揚合、スプロケットホイール４４の歯数を・・・・・・Ｎｓ
ピニオン４５の歯数を・・・・・・・・・・・・ｎ
ギヤー４６の歯数を・・・・・・・・・・・・・Ｎ
とすれば、スプロケットホイール４４の歯数、ピニオン４５の歯数及びギヤー４６の歯数の関係は、
ｎ／Ｎ＝Ｎｓ／２９  となる。
【００３７】
そして、図１３に示す如く、前記回転ストッパー４７が１回転した時にフイルムは２９孔送られるので、ストッパー溝４８と４９との成す回転角ａと回転角ｂとの比が、奇数組画面撮影後のフイルム送り量と、偶数組画面撮影後のフイルム送り量との等比関係に設定されている。
【００３８】
又、現在実用されているフイルム送り装置として、上記の歯車式以外に、フイルムを電気モータ駆動のドラムによって巻き取り、フイルムのパーフオレーションを赤外線センサーによって計数（計測）して停止位置決めする方法があり、この方法も利用することができる。この場合、１画面、３画面の交互送りは、パーフォレーションカウンターを交互送りのプログラムとし、且つ、１画面送った場合のフイルム停止時の孔位置と３画面送った場合のフイルム停止時の孔位置が異なるためセンサーを２箇所に設置する。しかし、赤外線リニアーセンサー等のイメージセンサーを利用すれば、フイルム送り一回毎の停止位置を自由に設定可能であり、又、変更及び微調整することが出来、更に、フイルム停止時直前の送り速度制御等（停止直前に送り速度をスローダウンさせる）も自由に設定可能である。
【００３９】
尚、本発明は、本発明の精神を逸脱しない限り種々の改変を為すことができ、そして、本発明が該改変されたものに及ぶことは当然である。
【００４０】
【発明の効果】
本発明は上記一実施の形態に詳述したように、請求項１記載の発明はステレオカメラに於て、第１コマから第４コマの各画面毎にパーフォレーション位置を夫々異なる位置に配置すると共に、該第１コマから第４コマの長手方向中心を対称中心として左右対称になるように配置して撮影するように構成されているので、奇数組と偶数組の画面のフイルムを同一のフイルムホルダーを共用して用いることができ、必要なフイルムホルダーの種類を低減することが可能となる。又、前記配置によってフイルムの画面幅の拡大を図り、且つ、フイルムを有効活用することが可能となる。
【００４１】
又、請求項２記載の発明はステレオカメラに於て、第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、フイルムの各画面間の境界位置に該フイルム切断のためのマークを記録するように構成したから、請求項１記載の効果に加え、フイルムの切断を容易、且つ、安全、正確に行える。
【００４２】
更に、請求項３記載の発明はステレオカメラに於て、第１コマから第４コマの各画面毎にパーフォレーション位置を夫々異なる位置に配置すると共に、該第１コマから第４コマの長手方向中心を対称中心として左右対称になるように配置して撮影するように構成し、且つ、ナンバー記録装置により、フイルムの各画面にステレオスライド用コマナンバーを記録するように構成したので、請求項３記載の効果に加え、フイルムのコマの確認が容易となり、マウント作業が容易となる。
【００４３】
更に又、請求項４記載の発明は請求項４記載の発明はステレオカメラに於て、第１コマから第４コマの各画面毎にパーフォレーション位置を夫々異なる位置に配置すると共に、該第１コマから第４コマの長手方向中心を対称中心として左右対称になるように配置して撮影するように構成し、且つ、マーク記録装置により、フイルムの各画面間の境界位置に該フイルム切断のためのマークを記録するように構成し、更に、ナンバー記録装置により、前記フイルムの各画面にステレオスライド用コマナンバーを記録するように構成したので、請求項２及び３記載の発明の効果が合わせて達成できる等、正に著大なる効果を奏する発明である。
【図面の簡単な説明】
【図１】本発明の一実施の形態を示し、ステレオカメラで撮影したフイルムの正面図。
【図２】本発明の一実施の形態を示し、ステレオカメラと該ステレオカメラで撮影したフイルムの対応位置関係を示す説明図。
【図３】本発明の一実施の形態を示し、ステレオカメラで撮影したフイルムと該フイルムを切断して再配列したフイルムの正面図。
【図４】本発明の一実施の形態を示し、左右フイルムホルダーの正面図。
【図５】本発明の一実施の形態を示し、切断した奇数組フイルムと該奇数組フイルムとを反対向きに対向させて並べた偶数組フイルムの正面図。
【図６】コマナンバー記録装置とカッティングマーク記録装置を備えたステレオカメラの概念図。
【図７】本発明の一実施の形態を示し、コマナンバーとカッティングマークが記録されたフイルムの正面図。
【図８】本発明の一実施の形態を示し、奇数組用左右フイルムホルダーの正面図。
【図９】本発明の一実施の形態を示し、偶数組用左右フイルムホルダーと奇数組用左右フイルムホルダーとして共用できる左右フイルムホルダーの正面図。
【図１０】本発明の他の一実施の形態を示し、１群となる４画面が２９孔相当のフイルムを４等分して撮影されるフイルムの正面図。
【図１１】本発明の更に他の一実施の形態を示し、１群となる４画面が２９孔相当のフイルムを４等分して撮影されるフイルムの正面図。
【図１２】ステレオカメラのフイルム送り機構の概念図。
【図１３】回転ストッパーの説明図。
【図１４】（ａ）従来例を示し、フロントフレームの底面図。
（ｂ）（ａ）図の縦断面図。
（ｃ）従来例を示し、左右フイルムホルダーの正面図。
（ｄ）（ｃ）図の縦断面図。
（ｅ）従来例を示し、ベースフレームに左フイルムホルダーを装着した状態を示すステレオスライドマウントの正面図。
（ｆ）（ｅ）図のベースフレームの縦断面図。
【符号の説明】
１Ｌ，１Ｒ，２Ｌ，２Ｒ            画面
１４                                フロントフレーム
２１，３１，４２，４３              フイルム
２２，３０                          ステレオカメラ
２４Ｌ，２４Ｒ，３６Ｌ，３６Ｒ      フイルムホルダー
２５，２６，３４，３５，３９，４０  ピン
２８                                ナンバー記録装置
２９                                マーク記録装置
３２                                マーク
３３                                コマナンバー
３８Ｌ，３８Ｒ                      フイルムホルダー
ＯＬ，ＯＲ，ＥＬ，ＥＲ              識別記号
【図１】
0003861267.tif 000002
【図２】
0003861267.tif 000003
【図３】
0003861267.tif 000004
【図４】
0003861267.tif 000005
【図５】
0003861267.tif 000006
【図６】
0003861267.tif 000007
【図７】
0003861267.tif 000008
【図８】
0003861267.tif 000009
【図９】
0003861267.tif 000010
【図１０】
0003861267.tif 000011
【図１１】
0003861267.tif 000012
【図１２】
0003861267.tif 000013
【図１３】
0003861267.tif 000014
【図１４】
0003861267.tif 000015